(57)【要約】【課題】現場に対応させて流入口の方向を調整することができ、１種類であらゆる現場に対応することのできる排水トラップを提供する。【解決手段】防臭パイプによって封水構造をとる排水トラップ１において、トラップ本体を、流出口４を設けた上部部材２と、流入口５，６を設けた下部部材３に分割形成し、上部部材２と下部部材３を相対回転させて接続可能に構成して、前記流出口４に対する流入口５，６の方向を可変できるように構成する。【選択図】                図１
2005030054.tif 000002
【特許請求の範囲】
【請求項１】
防臭パイプによって封水構造をとる排水トラップにおいて、トラップ本体を、流出口を設けた上部部材と、流入口を設けた下部部材に分割形成し、上部部材と下部部材を相対回転させて接続可能に構成して、前記流出口に対する前記流入口の方向を可変できるように構成したことを特徴とする排水トラップ。
【請求項２】
前記上部部材と前記下部部材の接続部が、無段階に方向調整できる円形に形成されていることを特徴とする請求項１に記載の排水トラップ。
【請求項３】
前記流入口が前記下部部材に２個設けられていることを特徴とする請求項１または請求項２に記載の排水トラップ。
【発明の詳細な説明】
【０００１】
【発明の属する技術分野】
この発明は、排水トラップに関するものである。
【０００２】
【従来の技術】
従来、特許文献１に開示されているように、回転させることで、流入口の方向を可変できるように構成した排水トラップが存在する。
【０００３】
【特許文献１】
実開昭５４−６９６５３号公報
【０００４】
【発明が解決しようとする課題】
しかし、特許文献１に開示されている構造では、流入口の位置を、トラップ側面に形成された開口に合わせる必要があり、開口のない方向に流入口を配置させることはできないものであった。
なお、トラップ側面に小さな開口を多数形成させておけば、流入口を何れかの開口に整合させることで、あらゆる方向に流入口を配置させることができるが、このように小さな開口を多数設けると、各開口の面積は小さいものとなり、これにより排水性能が低下してしまうという問題点があった。
また、この特許文献１に開示されている排水トラップは、内部に防臭パイプを設けた形式のものではなく、上下に分割することが不可能な形状のものであった。
【０００５】
【課題を解決するための手段】
本発明は、上記従来の問題点に鑑み案出したものであって、その第１の要旨は、防臭パイプによって封水構造をとる排水トラップにおいて、トラップ本体を、流出口を設けた上部部材と、流入口を設けた下部部材に分割形成し、上部部材と下部部材を相対回転させて接続可能に構成して、前記流出口に対する前記流入口の方向を可変できるように構成したことである。
【０００６】
また、第２の要旨は、前記上部部材と前記下部部材の接続部が、無段階に方向調整できる円形に形成されていることである。
また、第３の要旨は、前記流入口が前記下部部材に２個設けられていることである。
【０００７】
【発明の実施の形態】
以下、本発明の実施例を図面に基づいて説明する。
図１は、第１実施例の排水トラップの斜視構成図であり、排水トラップ１は、上部の上部部材２と、下方の下部部材３が分割形成されており、上部部材２と下部部材３を、組み立て時に、相対回転させて接続できるように構成したものである。
上部部材２の側面には流出口４が設けられており、この流出口４には排水管７を接続できるものである。
また、下部部材３には、第１流入口５と第２流入口６が９０°変位した位置に２個設けられている。
なお、排水トラップ１の上面には、主流入口Ｍが開口されている。
【０００８】
図２は、排水トラップ１の概略平面構成図であり、上部部材２に対し、下部部材３を相対回転させて接続することにより、流出口４に対する流入口５，６の方向を可変できるものであり、本例では、上部部材２と下部部材３の接続部は円形に形成されているため、無段階に相対回転させて、流出口４に対し流入口５，６の方向を無段階に可変できるように構成されている。
【０００９】
例えば、図３の縦断面図で示すように、下部部材３の上端に、断面Ｕ字状のＵ字状受け部３ａを形成させておき、このＵ字状受け部３ａ内に、上方より上部部材２の下端を差し込む構成の接続部Ｐとしておけば、下部部材３と上部部材２を現場に合わせて組み立てる段階で、上部部材２に対し下部部材３を相対回転させて、流出口４に対する流入口５，６の位置を設定し、その状態で接着剤等により接続部Ｐを固定することができる。
【００１０】
図４の縦断面構成図で、また図５の平面図で示すものは、現場の状況に合わせて流入口５，６の方向を決めて、浴槽側からの配管１２を接続したものである。なお、実際には排水トラップ１は、浴室の洗い場側防水パンに、フランジ８を介して水密状に取り付けられるものであり、フランジ８で主流入口Ｍが形成され、この主流入口Ｍから内部に垂下されて防臭パイプ９が設けられ、この防臭パイプ９により排水トラップ１内部で封水構造が形成されるものである。
【００１１】
また、浴槽側の防水パンには、フランジ１０を介して浴槽側集水枡１１が固設され、この浴槽側集水枡１１と、第１流入口５を連結配管１２で接続して、浴槽からの排水を第１流入口５から排水トラップ１内に流入させることができるものである。
この際に、浴槽側集水枡１１の位置に合わせて、現場で第１流入口５の方向を調整して、連結配管１２を接続する必要があるのである。
【００１２】
従って、本例の排水トラップ１においては、現場で流入口５，６の方向を調整して組み立てることができるため、流入口の方向の異なる複数の現場に対応することができるものとなり、従来のように、流入口の方向の異なる多種類の排水トラップを用意しておく必要がなく、たとえば流入口が１個、２個、３個の少数種類の排水トラップを製造すれば良いため、金型も少なくてすみ、排水トラップの製造コストを低減させることができるものとなる。
なお、第１流入口５からは浴槽の排水が流入され、第２流入口６に分岐部材を接続することで、浴室のドア下からの排水と、浴槽の側面に開口された追焚き循環口から漏れる排水を第２流入口６に流入させることができ、主流入口Ｍからは、洗い場側の排水が防臭パイプ９内を通って内部に流入され、これらの排水を良好に流出口４から排水管７を通して排出できるものである。
【００１３】
次に、図６は変更例を示すものであり、図６では、上部部材２及び下部部材３が六角形状に形成されており、上部部材２には流出口４が形成され、また下部部材３には流入口５が１個形成されたものとなっている。
このような排水トラップ１においても、現場で上部部材２と下部部材３を相対回転させて接続し組み立てることができるものであり、六角形状に形成されているため、６０°ずつ上部部材２に対し下部部材３を回転させて、流出口４に対する流入口５の方向を６０°ずつ可変させて接続できるものである。
【００１４】
また、図７の排水トラップ１は、全体が四角形状に形成されており、このような形状では、９０°ずつ上部部材２に対し下部部材３を回転させ、流出口４に対し流入口５を９０°ずつ可変調節して、接続組立できるものである。
なお、その他、排水トラップは、八角形等の多角形に形成することもできる。
【００１５】
【発明の効果】
本発明は、防臭パイプによって封水構造をとる排水トラップにおいて、トラップ本体を、流出口を設けた上部部材と、流入口を設けた下部部材に分割形成し、上部部材と下部部材を相対回転させて接続可能に構成して、流出口に対する流入口の方向を可変できるように構成したことにより、出荷前に現場の配管に合わせて組み立てておくことができ、また、現場で流入口の方向を可変調整して組み立てることができ、流入口を任意の方向に調整して、現場に対応することができ、排水トラップは１種類のものを用意しておけば良く、排水トラップは１種類を製造しておけば良いため、製造コストを低減させることができるものとなる。
【００１６】
また、上部部材と下部部材の接続部が、無段階に方向調整できる円形に形成されていることにより、円形であるため無段階に調整が可能であり、流出口に対する流入口の方向を現場で無段階に調整して、良好に現場に対応できるものとなる。
【００１７】
また、流入口が下部部材に２個設けられていることにより、流入口が２個であるため、浴槽からの排水，ドア下からの排水，追焚き循環口からの排水を、２個の流入口に分けて流入させることができるものとなり、複数経路からの排水を良好に処理できるものとなる。
【図面の簡単な説明】
【図１】第１実施例の排水トラップの斜視構成図である。
【図２】排水トラップの平面概略構成図である。
【図３】排水トラップの上下の部材の接続状態を例示する縦断面構成図である。
【図４】現場で流入口に配管を接続した設置状態の縦断面構成図である。
【図５】図４の平面構成図である。
【図６】第２実施例の排水トラップの斜視構成図である。
【図７】第３実施例の排水トラップの斜視構成図である。
【符号の説明】
１    排水トラップ
２    上部部材
３    下部部材
３ａ    Ｕ字状受け部
４    流出口
５    第１流入口
６    第２流入口
７    排水管
８    フランジ
９    防臭パイプ
１１    浴槽側集水枡
１２    連結配管
Ｍ    主流入口
Ｐ    接続部
【図１】
2005030054.tif 000003
【図２】
2005030054.tif 000004
【図３】
2005030054.tif 000005
【図４】
2005030054.tif 000006
【図５】
2005030054.tif 000007
【図６】
2005030054.tif 000008
【図７】
2005030054.tif 000009